(57)【要約】  【課題】  パネルファスナーを板体の取付け孔に比較的容易にかしめ止めることが可能なかしめ治具、及びかしめ止める方法を提供する。  【解決手段】  かしめ治具２０は、回転工具２１を嵌合させて回転操作が可能なような多角柱状に形成された本体部２０ａを有し、パネルファスナー１０の螺子本体１１の軸部１１ｂに螺合させることが可能な雌螺子２０ｂが本体部２０ａの一端から内部へ穿設され、雌螺子２０ｂの開口部に向けて本体部２０ａが縮径し、縮径した先端２０ｃがパネルファスナー１０の管状部材１３の薄肉部１３ｂ内に嵌合するように形成されたものである。  【選択図】  図１
2008030068.tif 000002
【特許請求の範囲】
【請求項１】
頭部から延びる軸部に螺子山が刻まれた螺子本体と、当該螺子本体の頭部に固定されて軸部外周を途中まで覆うケーシングと、当該ケーシング内に出入可能なように前記螺子本体の軸部に環装され、後端が前記ケーシングの先端に係合し、先端に他の箇所よりも肉厚が薄いた薄肉部が設けられ、前記ケーシング内に設けられたバネにより螺子本体の先端方向に付勢された管状部材とを備えるパネルファスナーを、板体の取付け孔に固定するための治具であって、
当該治具は、回転工具を嵌合させて回転操作が可能なような多角柱状に形成された本体部を有し、前記パネルファスナーの螺子本体の軸部に螺合させることが可能な雌螺子が前記本体部の一端から内部へ穿設され、当該雌螺子の開口部に向けて本体部が縮径し、当該縮径した先端が前記パネルファスナーの管状部材の薄肉部内に嵌合するように形成されたものであるパネルファスナーのかしめ治具。
【請求項２】
頭部から延びる軸部に螺子山が刻まれた螺子本体と、当該螺子本体の頭部に固定されて軸部外周を途中まで覆うケーシングと、当該ケーシング内に出入可能なように前記螺子本体の軸部に環装され、後端が前記ケーシングの先端に係合し、先端に他の箇所よりも肉厚が薄いた薄肉部が設けられ、前記ケーシング内に設けられたバネにより螺子本体の先端方向に付勢された管状部材とを備えるパネルファスナーを、板体の取付け孔に固定する方法であって、
多角柱状に形成された本体部を有し、当該本体部の一端から内部へ雌螺子が穿設され、当該雌螺子の開口部に向けて本体部が縮径するように形成されたかしめ治具を使用し、
板体の一方の側面から取付け孔に、パネルファスナーの管状部材の薄肉部を挿入し、板体の他方の側面から取付け孔を介して、かしめ治具の縮径した先端部分を前記薄肉部内に挿入し、かしめ治具の雌螺子とパネルファスナーの螺子本体とを螺合させて相対的に捩り込むように回転操作し、所定以上捩り込むことにより前記薄肉部を押し広げて前記板体の取付け孔にかしめることを特徴とするパネルファスナーの板体への固定方法。
【発明の詳細な説明】
【技術分野】
【０００１】
本発明は、パネルファスナーを板体の取付け孔に固定するための治具、およびパネルファスナーを板体の取付け孔に固定する方法に関する。
【背景技術】
【０００２】
板体に皿穴が形成され、この皿穴に所定部位をかしめて仮固定するパネルファスナーが従来から知られている。
このパネルファスナー１０は、例えば、図５（ａ）（ｂ）に示したように、螺子本体１１とケーシング１２と管状部材１３とバネ１４とから構成される。螺子本体１１には、頭部１１ａから延びる軸部１１ｂに螺子山１１ｃが刻まれている。ケーシング１２は、後端１２ａが螺子本体１１の頭部１１ａに固定され、軸部１１ｂの外周を途中まで覆い、先端に係止部１２ｂを有するものである。管状部材１３は、ケーシング１２内に出入可能なように螺子本体１１の軸部１１ｂに環装され、後端にケーシング１２の係止部１２ｂに係合するフランジ部１３ａを有し、先端に他の箇所よりも肉厚が薄く形成された薄肉部１３ｂが設けられ、内周面にはバネ１４を収容するための拡大内径部１３ｃが形成され、ケーシング１２内に設けられたバネ１４により螺子本体１１の先端方向に付勢されている。
【０００３】
パネルファスナー１０は、図６（ａ）に示した従来のかしめ治具１５を使用して板体１６に仮固定される。
ここで、かしめ治具１５は、円筒状に形成された本体部１５ａを有し、本体部１５ａの一方の端部から内部へ滑らかな円周面を有する孔１５ｂが穿設され、当該孔１５ｂの開口部に向けて本体部１５ａが縮径し、当該縮径した先端１５ｃがパネルファスナー１０の管状部材１３の薄肉部１３ｂ内に嵌合するように形成され、本体部１５ａの他方の端部１５ｄは平らに形成されたものである。
パネルファスナー１０を板体１６に仮固定する際には、板体１６の一方の側面１６ａから取付け孔１７に、パネルファスナー１０の管状部材１３の薄肉部１３ｂを挿入し、板体１５の他方の側面１６ｂから取付け孔１７を介して、かしめ治具１５の縮径した先端１５ｃを薄肉部１３ｂ内に挿入する。そして、パネルファスナー１０を動かないように固定し、かしめ治具１５の端部１５ｄをハンマー等により打撃すると、かしめ治具１５の縮径した先端１５ｃがパネルファスナー１０の薄肉部１３ｂを拡大変形させ、取付け孔１７の皿穴側に薄肉部１３ｂがかしめ止められる。
【０００４】
パネルファスナー１０は、予め板体１６にかしめ止められているため、筐体等の部品を板体１６に螺子止めする際には、手から滑り落ちてしまうといった不都合がなく、部品組み立ての作業性を高めることができるものである。
しかしながら、パネルファスナー１０をかしめ止める際には、パネルファスナー１０を板体１６の取付け孔１７から動かないように押えたうえで、かしめ治具１５により圧力を加えなければならず、かしめ止め作業自体が煩雑であるという不便さがある。
【発明の開示】
【発明が解決しようとする課題】
【０００５】
したがって、本発明の目的は、パネルファスナーを板体の取付け孔に比較的容易にかしめ止めることが可能なかしめ治具、及びかしめ止める方法を提供することである。
【課題を解決するための手段】
【０００６】
以下、課題を解決するための手段について、添付図面中の参照番号を付して説明する。
本発明では、頭部１１ａから延びる軸部１１ｂに螺子山１１ｃが刻まれた螺子本体１１と、螺子本体１１の頭部１１ａに固定されて軸部１１ｂの外周を途中まで覆うケーシング１２と、ケーシング１２内に出入可能なように螺子本体１１の軸部１１ｂに環装され、後端１３ａがケーシング１２の先端１２ｂに係合し、先端に他の箇所よりも肉厚が薄いた薄肉部１３ｂが設けられ、ケーシング１２内に設けられたバネ１４により螺子本体１１の先端方向に付勢された管状部材１３とを備えるパネルファスナー１０を、板体１６の取付け孔１７に固定するための治具であって、この治具は、回転工具２１を嵌合させて回転操作が可能なような多角柱状に形成された本体部２０ａを有し、パネルファスナー１０の螺子本体１１の軸部１１ｂに螺合させることが可能な雌螺子２０ｂが本体部２０ａの一端から内部へ穿設され、雌螺子２０ｂの開口部に向けて本体部２０ａが縮径し、縮径した先端２０ｃがパネルファスナー１０の管状部材１３の薄肉部１３ｂ内に嵌合するように形成されたものであるパネルファスナー１０のかしめ治具２０が提供される。
【０００７】
また本発明では、頭部１１ａから延びる軸部１１ｂに螺子山１１ｃが刻まれた螺子本体１１と、螺子本体１１の頭部１１ａに固定されて軸部１１ｂの外周を途中まで覆うケーシング１２と、ケーシング１２内に出入可能なように螺子本体１１の軸部１１ｂに環装され、後端がケーシング１２の先端に係合し、先端に他の箇所よりも肉厚が薄いた薄肉部１３ｂが設けられ、ケーシング１２内に設けられたバネ１４により螺子本体１１の先端方向に付勢された管状部材１３とを備えるパネルファスナー１０を、板体の取付け孔に固定する方法であって、多角柱状に形成された本体部２０ａを有し、本体部２０ａの一端から内部へ雌螺子２０ｂが穿設され、雌螺子２０ｂの開口部に向けて本体部が縮径するように形成されたかしめ治具２０を使用し、板体１６の一方の側面１６ａから取付け孔１７に、パネルファスナー１０の管状部材１３の薄肉部１３ｂを挿入し、板体１６の他方の側面１６ｂから取付け孔１７を介して、かしめ治具２０の縮径した先端２０ｃを薄肉部１３ｂ内に挿入し、かしめ治具２０の雌螺子２０ｂとパネルファスナー１０の螺子本体１１とを螺合させ、その後に相対的に捩り込むように回転操作し、所定以上捩り込むことにより薄肉部１３ｂを押し広げて板体１６の取付け孔１７にかしめることを特徴とするパネルファスナー１０の板体１６への固定方法が提供される。
【発明の効果】
【０００８】
本発明のかしめ治具は、板体の取付け孔に挿入されたパネルファスナーの螺子本体に雌螺子を螺合させ、螺子本体を雌螺子に所定以上捩り込ませた後に、かしめ治具を回転工具により更に締め込むことにより、かしめ治具の先端でパネルファスナーの薄肉部を拡大変形させて板体の取付け孔にかしめ止めるものである。したがって、最初に、パネルファスナーとかしめ治具とを軽く螺合させてしまえば、その後のかしめ止め作業時には、パネルファスナーとかしめ治具とを手で保持し続ける必要がなく、取扱いが非常に簡単である。
またパネルファスナーの薄肉部を押し広げて板体の取付け孔にかしめ止める際にも、パネルファスナーとかしめ治具とを相対的に捩り込むだけでよいため、従来のようにハンマー等の打撃による衝撃や騒音がなくなり、作業の安全性も高まる。
【発明を実施するための最良の形態】
【０００９】
以下、図面を参照して本発明について説明するが、本発明はこれに限定されるものではない。
【００１０】
本発明のかしめ治具２０は、図１及び図２に示したように、多角柱状に形成された本体部２０ａを有し、本体部２０ａの一端から内部へ雌螺子２０ｂが穿設され、雌螺子２０ｂの開口部に向けて本体部２０ａが縮径し、この縮径した先端２０ｃがパネルファスナー１０の管状部材１３の薄肉部１３ｂ内に嵌合するように形成されたものである。
ここで、本体部２０ａの形状は、例えば、三角柱状、四角柱状、六角柱状等の多角柱状、または半円柱状等に形成することが可能であり、特に限定されるものではないが、六角柱状に形成した場合には、本体部２０ａに嵌合させて回転操作する回転工具２１として、スパナ、メガネレンチ等の既存の工具を使用することが可能になる。また雌螺子２０ｂは、パネルファスナー１０の螺子本体１１の軸部１１ｂに螺合させることが可能なように穿設する。
【００１１】
本発明のかしめ治具２０を使用してパネルファスナー１０を板体１６にかしめ止める際には、最初に、板体１６の一方の側面１６ａから取付け孔１７にパネルファスナー１０の管状部材１３の薄肉部１３ｂを挿入し、板体１６の他方の側面１６ｂから取付け孔１７に、かしめ治具２０の縮径した先端２０ｃを挿入し、図３のように、かしめ治具２０の雌螺子２０ｂをパネルファスナー１０の螺子本体１１に螺合させる。このとき、かしめ治具２０の縮径した先端２０ｃは、パネルファスナー１０の管状部材１３の薄肉部１３ｂ内に嵌合している。また取付け孔１７は皿穴状に形成されたものであり、パネルファスナー１０は皿穴の縮径側、かしめ治具２０は皿穴の拡径側に挿入される。
図３の状態から、手指などによりパネルファスナー１０とかしめ治具２０とを回転操作し、螺子本体１１を雌螺子２０ｂ内に捩り込んでいくと、螺子本体１１の頭部１１ａが管状部材１３の後端１３ａに接触し、手指による捩り込みが困難になる。このような状態になったら、パネルファスナー１０の螺子本体１１にドライバー２２を嵌合させ、かしめ治具２０の本体部２０ａにレンチ２１を嵌合させ、このレンチ２１で締め込む。これにより、かしめ治具２０の縮径した先端２０ｃがパネルファスナー１０の薄肉部１３ｂに捩じ込まれ、薄肉部１３ｂが拡大変形して皿穴にかしめ止められる。かしめ治具２０は、パネルファスナー１０をかしめ止めた後に、逆方向に回転させて取り外す。
このように、かしめ治具２０を使用すれば、パネルファスナー１０の薄肉部を押し広げて皿穴にかしめ止める際にも、従来のようにハンマー等でかしめ治具を打撃する必要がなくなり、衝撃や騒音が発生せず、作業も比較的安全なものになる。
【図面の簡単な説明】
【００１２】
【図１】（ａ）は本発明のかしめ治具の側面図であり、（ｂ）は断面図である。
【図２】本発明のかしめ治具を他の工具と共に使用する状態を示した斜視図である。
【図３】本発明のかしめ治具によりパネルファスナーを板体にかしめる工程を示す断面図である。
【図４】図３に引き続く、かしめ工程を示した断面図である。
【図５】（ａ）はパネルファスナーの側面図であり、（ｂ）は断面図である。
【図６】（ａ）〜（ｃ）は、従来のかしめ治具を使用してパネルファスナーを板体にかしめ止める方法を示した図である。
【符号の説明】
【００１３】
１０  パネルファスナー
１１  螺子本体
１１ａ  頭部
１１ｂ  軸部
１１ｃ  螺子山
１２  ケーシング
１２ｂ  先端
１３  管状部材
１３ａ  後端
１３ｂ  薄肉部
１４  バネ
１６  板体
１７  取付け孔
２０  かしめ治具
２０ａ  本体部
２０ｂ  雌螺子
２０ｃ  縮径した先端
２１  回転工具
２２  ドライバー
【図１】
2008030068.tif 000003
【図２】
2008030068.tif 000004
【図３】
2008030068.tif 000005
【図４】
2008030068.tif 000006
【図５】
2008030068.tif 000007
【図６】
2008030068.tif 000008